(57)【要約】      （修正有）【課題】作業台の天板の側縁部に付加機能装置を取付可能とする。【解決手段】作業台１に取り付ける付加機能装置14に固着された固定金具20は、支持部23と、ブラケット部24を備え、ブラケット部24に連結手段22を介して可動金具21を連結している。連結手段22は、可動金具21を固定金具20に対して、溝部9よりも内側かつ下側の待機位置と、該待機位置の上方で溝部9に臨む上動位置と、溝部9に進入する係止位置との間で移動可能となるように連結する。可動金具21は、係止位置に移動されたとき溝部9に係脱自在に係止する係止手段28を設けており、可動金具21と固定金具20の間に、可動金具21を係止位置に移動した状態で移動不能に固定するロック手段32を設けている。【選択図】図４
2011246907.tif 000002
【特許請求の範囲】
【請求項１】
作業台の天板(2)の側縁部に付加機能装置(14)を着脱自在に固着する取付装置(13)であり、前記天板(2)は、側縁部の下側に内向きの溝部(9)を形成し、天板壁(8)から垂設された側壁(10)と、該側壁(10)の下端から内向きに延設されたリブ状板壁(11)を備える構成において、
前記付加機能装置(14)に固着された固定金具(20)は、前記側壁(10)の外面に添設される支持部(23)と、該支持部(23)から前記板壁(11)の下方に向けて延びるブラケット部(24)を備え、該ブラケット部(24)に連結手段(22)を介して可動金具(21)を連結し、
前記連結手段(22)は、前記可動金具(21)を固定金具(20)に対して、前記溝部(9)よりも内側かつ下側の待機位置(P1)と、該待機位置の上方で前記溝部(9)に臨む上動位置(P2)と、前記溝部(9)に進入する係止位置(P3)との間を移動可能とするように構成され、
前記可動金具(21)は、前記係止位置(P3)に移動されたとき前記溝部(9)に係脱自在に係止する係止手段(28)を設け、
前記可動金具(21)と固定金具(20)の間に、前記可動金具(21)が前記係止位置(P3)に移動された状態で移動不能に固定するロック手段(32)を設けて成ることを特徴とする作業台における付加機能装置の取付装置。
【請求項２】
前記連結手段(22)は、前記固定金具(20)と前記可動金具(21)の一方に設けたガイド路(29)と、他方に設けた軸支孔(30)と、該軸支孔(30)をガイド路(29)に合致させた状態で固定金具(20)と可動金具(21)を相互に回動自在に軸支する軸部材(31)を備えており、該軸部材(31)を介して、前記可動金具(21)を前記待機位置(P1)と上動位置(P2)の間で回動自在に構成し、
前記ガイド路(29)を前記リブ状板壁(11)の延設方向とほぼ平行に延設し、前記軸部材(31)をガイド路(29)に沿って移動可能とすることにより、前記可動金具(21)を前記上動位置(P2)と係止位置(P3)の間で移動自在に構成して成ることを特徴とする請求項１に記載の作業台における付加機能装置の取付装置。
【請求項３】
前記係止手段(28)は、前記可動金具(21)に設けたスリット(28a)により構成され、該可動金具(21)を上動位置(P2)から係止位置(P3)に移動することにより、リブ状板壁(11)をスリット(28a)に嵌入させるように構成して成ることを特徴とする請求項１又は２に記載の作業台における付加機能装置の取付装置。
【請求項４】
前記固定金具(20)と前記可動金具(21)の一方にガイド路(29)を設けると共に、他方に軸支孔(30)とロック孔(34)を並設し、前記軸支孔(30)とガイド路(29)を合致させた状態で軸部材(31)を軸方向に摺動自在に挿入し、該軸部材(31)の先端部に折返されたロックピン(33)を延設し、前記ロック孔(34)は可動金具(21)を係止位置(P3)に移動した状態でガイド路(29)に合致すると共にロックピン(33)を受入れ可能とするように配置されており、
前記ガイド路(29)と軸支孔(30)と軸部材(31)により前記連結手段(22)を構成し、前記軸部材(31)を先端方向に摺動させることによりロックピン(33)を解放した状態で、該軸部材(31)を介して前記可動金具(21)を前記待機位置(P1)と上動位置(P2)の間で回動自在に構成すると共に、前記軸部材(31)をガイド路(29)に沿って移動可能とすることにより、前記可動金具(21)を前記上動位置(P2)と係止位置(P3)の間で移動自在に構成し、
前記ロック孔(34)とロックピン(33)により前記ロック手段(32)を構成し、前記可動金具(21)を係止位置(P3)に移動した状態で、前記軸部材(31)を尾端方向に摺動させることにより、前記ロックピン(33)をロック孔(34)を介してガイド路(29)に摺動不能に挿入するように構成して成ることを特徴とする請求項１、２又は３に記載の作業台における付加機能装置の取付装置。
【請求項５】
前記軸部材(31)は、スプリング(35)により尾端方向に弾発付勢されて成ることを特徴とする請求項４に記載の作業台における付加機能装置の取付装置。
【請求項６】
前記付加機能装置(14)は、作業台(1)を接地面に支持するアウトリガー装置(14a)により構成され、該アウトリガー装置(14a)は、前記固定金具(20)に固着された主脚(15)と、該主脚(15)から接地面に向けて伸縮自在に延びる伸縮脚(16)と、所定の伸縮状態で伸縮脚(16)を主脚(15)に固定する固定手段(17)を備えて成ることを特徴とする請求項１、２、３、４又は５に記載の作業台における付加機能装置の取付装置。
【請求項７】
前記付加機能装置(14)は、作業台(1)の天板(2)の側縁部から起立する転落防止装置により構成されて成ることを特徴とする請求項１、２、３、４又は５に記載の作業台における付加機能装置の取付装置。
【請求項８】
請求項１、２、３、４、５、６又は７に記載の取付装置によって付加機能装置を天板の側縁部に着脱自在に固着して成ることを特徴とする作業台。
【発明の詳細な説明】
【技術分野】
【０００１】
本発明は、建設現場等において高所作業のために使用される作業台に関し、作業台の転倒を防止するアウトリガー装置や、作業者の転落を防止する手摺装置等の付加機能装置を取付けるための取付装置を提供し、更には、このような取付装置により付加機能装置を取付けた作業台を提供するものである。
【背景技術】
【０００２】
従来、作業台の転倒を防止するため、作業台の天板にアウトリガー装置を取付ける技術が提案されている。
【０００３】
一般的に、作業台は、天板の側縁部の下側に内向きの溝部を備えており、該溝部は、作業者を搭乗させる天板壁の側縁から垂設された側壁と、該側壁の下端から内向きに延設されたリブ状板壁により構成されている。そこで、アウトリガー装置等の付加機能装置を天板の側縁部に取付けるための取付装置は、前記溝部を利用して取付けられる。
【０００４】
後記の特許文献１により提案された取付装置は、天板の側壁に当接して固定される第１固定金具と、付加機能装置を固着した第２固定金具により構成されている。第１固定金具は、垂直板部と水平板部を備えており、垂直板部をピン及びナットにより第２固定金具に固着している。天板の側壁に掛止孔が形成され、取付装置を天板の側縁部に取付ける際、前記第１固定金具の垂直板部を前記側壁に当接させ、前記ピンを掛止孔に嵌入した状態で、前記水平板部の先端に設けたロック部材を前記天板のリブ状板壁の内端部に掛止する。ロック部材は、スプリングにより突出方向に付勢されたピンを有しており、該ピンを後退させた状態で前記水平板部を天板のリブ状板壁の下面に沿って進入させた後、スプリングによりピンを突出させることにより前記リブ状板壁の内端部に掛止させる。これにより、取付装置は、前記ピンと掛止孔の嵌合により固定支持され、前記ロック手段により抜止め掛止される。
【先行技術文献】
【特許文献】
【０００５】
【特許文献１】特許第４４０５３１４号公報
【発明の概要】
【発明が解決しようとする課題】
【０００６】
上記従来技術は、ピンと掛止孔の嵌合により取付装置を固定支持する構成であるから、天板の側壁に掛止孔を設けることが必須不可欠である。従って、このような掛止孔を有しない作業台には取付けることができない。換言すれば、汎用の作業台は、側壁に孔を設けていないものが含まれているから、上記の取付装置を取付けるためには、孔を穿孔する必要があり、汎用性に欠けるという問題がある。
【０００７】
ところで、付加機能装置の取付装置を天板の側縁部に取付けるために該天板の溝部を利用して取付固定する場合、例えば、付加機能装置を固着した主金具を天板の側壁に外側から添設すると共に、副金具を天板のリブ状板壁の内側から添設し、両金具を連結固着するように構成すれば良いと考えられる。
【０００８】
しかしながら、例えば、主金具と副金具を別個独立に形成し、取付金具の取付時に両金具をボルト・ナット等で連結固着する場合は、取付け・取外し作業が煩雑であるばかりか、主金具から分離した副金具が紛失する等の問題がある。
【０００９】
このため、主金具と副金具は、相互に分離不能に連結しておくことが好ましいが、その場合、主金具を天板の側壁に外側から添設させたとき、副金具が該側壁又はリブ状板壁に干渉することなく所定の内側位置に進入させられるように構成する必要があり、この点に解決すべき課題がある。
【課題を解決するための手段】
【００１０】
本発明は、汎用の作業台の側縁部に付加機能装置を簡単容易な操作で取付けかつ取外し可能とした取付装置を提供するものであり、その手段として構成したところは、作業台の天板の側縁部に付加機能装置を着脱自在に固着する取付装置であり、前記天板は、側縁部の下側に内向きの溝部を形成し、天板壁から垂設された側壁と、該側壁の下端から内向きに延設されたリブ状板壁を備える構成において、前記付加機能装置に固着された固定金具は、前記側壁の外面に添設される支持部と、該支持部から前記板壁の下方に向けて延びるブラケット部を備え、該ブラケット部に連結手段を介して可動金具を連結し、前記連結手段は、前記可動金具を固定金具に対して、前記溝部よりも内側かつ下側の待機位置と、該待機位置の上方で前記溝部に臨む上動位置と、前記溝部に進入する係止位置との間を移動可能とするように構成され、前記可動金具は、前記係止位置に移動されたとき前記溝部に係脱自在に係止する係止手段を設け、前記可動金具と固定金具の間に、前記可動金具が前記係止位置に移動された状態で移動不能に固定するロック手段を設けて成る点にある。
【００１１】
本発明の好ましい実施形態において、前記連結手段は、前記固定金具と前記可動金具の一方に設けたガイド路と、他方に設けた軸支孔と、該軸支孔をガイド路に合致させた状態で固定金具と可動金具を相互に回動自在に軸支する軸部材を備えており、該軸部材を介して、前記可動金具を前記待機位置と上動位置の間で回動自在に構成し、前記ガイド路を前記板壁の延設方向とほぼ平行に延設し、前記軸部材をガイド路に沿って移動可能とすることにより、前記可動金具を前記上動位置と係止位置の間で移動自在に構成している。
【００１２】
前記係止手段は、前記可動金具に設けたスリットにより構成され、該可動金具を上動位置から係止位置に移動することにより、リブ状板壁をスリットに嵌入させるように構成している。
【００１３】
本発明の好ましい実施形態は、前記固定金具と前記可動金具の一方にガイド路を設けると共に、他方に軸支孔とロック孔を並設し、前記軸支孔とガイド路を合致させた状態で軸部材を軸方向に摺動自在に挿入し、該軸部材の先端部に折返されたロックピンを延設し、前記ロック孔は可動金具を係止位置に移動した状態でガイド路に合致すると共にロックピンを受入れ可能とするように配置されている。従って、この実施形態の場合、前記ガイド路と軸支孔と軸部材により前記連結手段を構成し、前記軸部材を先端方向に摺動させることによりロックピンを解放した状態で、該軸部材を介して前記可動金具を前記待機位置と上動位置の間で回動自在に構成すると共に、前記軸部材をガイド路に沿って移動可能とすることにより、前記可動金具を前記上動位置と係止位置の間で移動自在に構成している。そして、前記ロック孔とロックピンにより前記ロック手段を構成し、前記可動金具を係止位置に移動した状態で、前記軸部材を尾端方向に摺動させることにより、前記ロックピンをロック孔を介してガイド路に摺動不能に挿入するように構成している。
【００１４】
前記軸部材は、スプリングにより尾端方向に弾発付勢されていることが好ましい。
【００１５】
前記付加機能装置は、例えば、作業台を接地面に支持するアウトリガー装置を構成することができる。この際、アウトリガー装置は、前記固定金具に固着された主脚と、該主脚から接地面に向けて伸縮自在に延びる伸縮脚と、所定の伸縮状態で伸縮脚を主脚に固定する固定手段を備えることが好ましい。
【００１６】
また、前記付加機能装置は、例えば、作業台の天板の側縁部から起立する転落防止装置を構成することができる。
【００１７】
本発明によれば、作業台における付加機能装置の取付装置が提供され、あるいは、取付装置により付加機能装置を取付けた作業台が提供される。
【発明の効果】
【００１８】
本発明によれば、従来技術のように天板の側壁に穿孔等の加工を施す必要はなく、側縁部に溝部９を形成した天板２を有する汎用の作業台１であれば、自由に、付加機能装置１４を着脱自在に取付けることが可能であり、しかも、取付装置の取付け及び取外し作業を簡単容易に行うことができるという効果がある。
【００１９】
この際、請求項２の本発明によれば、可動金具２１を待機位置Ｐ１から上動位置Ｐ２に向けて軸部材３１を支点として起立回動させ、該軸部材３１をガイド路２９に沿って摺動させることにより可動金具２１を上動位置Ｐ２から係止位置Ｐ３に移動させるように構成しているので、待機位置Ｐ１から上動位置Ｐ２を経て係止位置Ｐ３に至る可動金具２１の移動を回動と摺動を同時に行う複合的な一連の動作により行うことが可能となり、これにより取付装置の取付け及び取外し作業を容易かつ迅速に行い得るという利点がある
【００２０】
また、請求項３に記載の本発明によれば、係止手段２８がスリット２８ａにより構成されているので、簡単な構造でありながら可動金具２１を天板２のリブ状板壁１１に確実堅固に係止固定できる。
【００２１】
そして、請求項４に記載の本発明によれば、軸部材３１とガイド路２９と軸支孔３０により可動金具２１を待機位置Ｐ１から係止位置Ｐ３に移動可能とする連結手段２２を構成すると共に、軸部材３１に延設したロックピン３３と軸支孔３０に並設したロック孔３４によりロック手段３２を構成しているので、連結手段２２とロック手段３２の一方が他方の一部を兼用する構成とされ、部品点数が少なく、構造が簡単であり、低コストで提供することが可能になる。
【００２２】
この際、請求項５に記載の本発明によれば、軸部材３１を尾端方向に弾発付勢するスプリング３５を設けているので、可動金具２１を係止位置Ｐ３に移動した状態で、ロックピン３３をロック孔３４に臨ませると、スプリング３５により軸部材３１が尾端方向に摺動することにより、自動的にロックピン３３をロック孔３４及びガイド路２９に挿入しロックするという効果がある。そして、軸部材３１をスプリング３５に抗して先端方向に摺動させてロックを解除し、可動金具２１を待機位置Ｐ１から上動位置Ｐ２に移動させるときは、ロックピン３３が可動金具２１の連結部２６の外面に弾接することによりストッパーとして機能し、軸部材３１がスプリング３５により尾端方向に摺動することを阻止するので、可動金具２１を移動する際の作業を容易とする。
【００２３】
因みに、付加機能装置１４をアウトリガー装置１４ａにより構成する場合、請求項６に記載の本発明によれば、主脚と伸縮脚から成る伸縮自在な構成であるから、相対的に大型又は小型の作業台のように高さが異なる種々の作業台であっても、同じアウトリガー装置１４ａにより常に転倒防止の付加機能を好適に発揮することができる。
【図面の簡単な説明】
【００２４】
【図１】本発明の１実施形態に係る取付装置により付加機能装置を取付けた作業台を示す斜視図である。
【図２】作業台のバリエーションを例示しており、（Ａ）は相対的に大型の作業台に付加機能装置を取付けた状態を示す側面図、（Ｂ）は相対的に小型の作業台に付加機能装置を取付けた状態を示す側面図である。
【図３】本発明の１実施形態の要部を一部断面により示す側面図である。
【図４】本発明の１実施形態に関して、天板と付加機能装置と取付装置を分解した状態で示す斜視図である。
【図５】取付装置の作用に関して、可動金具を待機位置に位置させた状態を示しており、（Ａ）は斜視図、（Ｂ）は縦断面図である。
【図６】取付装置の作用に関して、可動金具を上動位置に移動させた状態を示しており、（Ａ）は斜視図、（Ｂ）は縦断面図である。
【図７】取付装置の作用に関して、可動金具を係止位置に移動させた状態を示しており、（Ａ）は斜視図、（Ｂ）は縦断面図である。
【図８】取付装置の作用に関して、可動金具を係止位置でロック手段により移動不能にロックさせた状態を示しており、（Ａ）は斜視図、（Ｂ）は横断面図である。
【図９】取付装置の作用を原理的に説明しており、（Ａ）は可動金具を待機位置に位置させた状態を示す縦断面図、（Ｂ）は可動金具を上動位置に移動させた状態を示す縦断面図、（Ｃ）は可動金具を係止位置に移動させた状態を示す縦断面図である。
【発明を実施するための形態】
【００２５】
以下図面に基づいて本発明の好ましい実施形態を詳述する。
【００２６】
本発明の作業台は、建設現場等において高所作業のために使用される脚立その他の作業台を広く含む汎用の作業台であり、従って、その形状や大きさを特に限定するものではないが、図１に１つの実施形態を示している。図示実施形態の場合、作業台１は、天板２の両端側（図例の場合、ほぼ長方形の天板２の長手方向の両端部）に脚部３、３を折畳み自在に設けている。各脚部３は、一対の脚本体４、４にステップ５を架設した梯子状に構成され、それぞれの脚本体４に延長脚部６を伸縮自在に設けている。延長脚部６は、図示鎖線で示すように所定長さに伸長させた状態でロック機構７により脚本体４に固定され、これにより天板２を任意の高さに支持する。
【００２７】
天板２は、図３及び図４に示すように、作業者を搭乗させる天板壁８の側縁部（図例の場合、ほぼ長方形の天板２の長手方向に延びる両側縁部）の下側に内向きの溝部９を形成し、前記天板壁８から垂設された側壁１０と、該側壁１０の下端から内向きに延設されたリブ状板壁１１を備える。尚、天板壁８の下面には、前記溝部９から離隔して補強リブ１２等が設けられている。
【００２８】
上記の構成は、汎用の作業台１として公知のものであり、本発明は、このような公知の作業台１における天板２の側縁部に取付装置１３を介して付加機能装置１４を着脱自在に取付け可能とする。
【００２９】
付加機能装置１４は、図１に実線で示すような作業台１の転倒を防止するアウトリガー装置１４ａや、鎖線で示すような天板２から作業者が転落することを防止する手摺装置１４ｂや、その他、天板２の側縁部に取付けることにより作業台に付加価値を与える種々の装置から選択可能であるが、以下は、付加機能装置１４の実施態様として、アウトリガー装置１４ａについて説明する。
【００３０】
図１及び図３に示すように、アウトリガー装置１４ａは、作業台１の天板２を接地面に支持するように構成され、前記取付装置１３に固着される主脚１５と、該主脚１５から接地面に向けて伸縮自在に延びる伸縮脚１６と、所定の伸縮状態で伸縮脚１６を主脚１５に固定する固定手段１７を備えている。図例の場合、伸縮脚１６を主脚１５の長手方向に進退自在に挿入しており、伸縮脚１６にラック歯１７ａを列設すると共に、主脚１５に爪手段１７ｂを内装し、主脚１５に設けた操作レバー１７ｃの回動により前記爪手段１７ｂをラック歯１７ａに係脱自在に係止させるように構成し、これにより前記固定手段１７を構成している。尚、伸縮脚１６の下端に設けた接地部材１８は、ピン１９により首振り自在に構成するのが良い。
【００３１】
アウトリガー装置１４ａは、図２に示すように、取付装置１３により天板２の側縁部に取付けられた状態で、接地面Ｇとの間で所定角度θ２を保持しており、脚部３の末広がり状に延びる延長脚部６の接地面Ｇに対する角度θ１に対して、θ２＜θ１とされることが好ましい（図例の場合、θ２＝７５度、θ１＝８５度である）。
【００３２】
上述のように、取付装置１３は、汎用の作業台１における天板２の溝部９を利用して取付けられる構成であるから、図２（Ａ）に示す相対的に大型の作業台１ａや、図２（Ｂ）に示す相対的に小型の作業台１ｂ等、大小異なる作業台に対して自在に取付けることが可能である。即ち、作業台１ａ、１ｂは、何れも天板２の側縁部に上述の溝部９を備えているから、該溝部９を利用することにより取付装置１３を着脱自在に固着することにより、アウトリガー装置１４ａが取付けられる。この際、大型の作業台１ａは脚部３が長く、小型の作業台１ｂは脚部３が短いが、何れの作業台に取付けられたアウトリガー装置１４ａも、伸縮脚１６を伸縮させることにより、接地面Ｇに対して接地部材１８を好適に接地させられる。また、図示鎖線で示すように、脚部３を伸長させた状態で作業台１を使用するときは、同様にアウトリガー装置１４ａの伸縮脚１６を伸縮させることにより接地部材１８を接地面Ｇに接地させることができ、このようにしてアウトリガー装置１４ａにより作業台１の転倒を防止する。
【００３３】
図４に示すように、取付装置１３は、付加機能装置１４に固着される固定金具２０と、該固定金具２０と別体の可動金具２１と、該可動金具２１を固定金具２０に連結する連結手段２２により構成されている。
【００３４】
前記固定金具２０は、支持部２３と、該支持部２３の下側から水平方向に延びるブラケット部２４を備え、前記支持部２３を付加機能装置１４（アウトリガー装置１４ａ）の主脚１５の上端近部に固着される。図例の場合、固定金具２０は、金属板をほぼＵ形に折曲することにより対面するブラケット部２４、２４を形成すると共に、該ブラケット部２４、２４から起立する一対の支持部２３、２３を形成し、前記主脚１５の腹部から突出して長手方向に平行に延びる一対の板状壁１５ａ、１５ａに前記支持部２３、２３を重ね合わせ、リベットその他の固着具２５（図５参照）により固着している。この際、支持部２３、２３の端縁は、接地面Ｇに対して角度θで傾斜するように形成され、これにより取付け後の付加機能装置１４（アウトリガー装置１４ａ）が上述した所定角度θ２を保持するように構成している。支持部２３、２３の反対側の端縁は、天板２の側壁１０に沿って当接するように鉛直方向に延びる支持縁２３ａ、２３ａを構成し、ブラケット部２４、２４の上縁は、天板２のリブ状板壁１１の下面に沿って接支するように水平方向に延びる接支縁２４ａ、２４ａを構成する。
【００３５】
前記可動金具２１は、前記連結手段２２により前記ブラケット部２４に連結される連結部２６と、該連結部２６に連設された係止部２７を備えている。図例の場合、可動金具２１は、金属板をほぼＵ形に折曲することにより、前記ブラケット部２４、２４の両側面を抱持する一対の連結部２６、２６を形成し、該連結部に隣接して一対の係止部２７、２７を形成しており、隣接する連結部２６と係止部２７の間にスリット２８ａから成る係止手段２８を設けている。
【００３６】
前記連結手段２２は、前記可動金具２１を固定金具２０に連結すると共に、該可動金具２１をブラケット部２４の上方に突出しない下方の待機位置Ｐ１と、ブラケット部２４の上方に突出する上動位置Ｐ２と、該上動位置Ｐ２から前記固定金具２０の支持部２３に近接する係止位置Ｐ３との間において移動可能とするように構成されている。
【００３７】
このような連結手段２２を構成するため、図示実施形態の場合、前記固定金具２０のブラケット部２４、２４に水平方向に所定長さＬ１で延びる長孔から成るガイド路２９を形成し、前記可動金具２１の連結部２６、２６に軸支孔３０を形成しており、図５に示すように、軸支孔３０、３０とガイド路２９、２９を合致させた状態で、軸部材３１を挿通することにより、可動金具２１を固定金具２０に対して回動自在かつ摺動自在となるように軸支している。
【００３８】
更に、可動金具２１を係止位置Ｐ３に移動したとき、該可動金具２１を移動不能に固定するロック手段３２が設けられている。図示実施形態の場合、ロック手段３２は、前記軸部材３１の先端部に折返状に延設されたロックピン３３と、前記可動金具２１の連結部２６、２６に設けたロック孔３４により構成されている。この際、ロック孔３４は、前記スリット２８ａの延長方向に向けて離間した状態で前記軸支孔３０に並設され、ロック孔３４と軸支孔３０の外側縁を結ぶ距離Ｌ２が前記ガイド路２９の長さＬ１とほぼ等しくなるように形成している。同様に、平行に延びる軸部材３１とロックピン３３の外側縁を結ぶ距離Ｌ３は、前記ガイド路２９の長さＬ１とほぼ等しくなるように形成されている。
【００３９】
図示実施形態において、前記軸部材３１は、コイルスプリング等のスプリング３５を設けており、可動金具２１を固定金具２０に軸支した状態で、該軸部材３１が尾端方向に向けて弾発付勢されている。図例の場合、軸部材３１の尾端のねじ杆部にナット３６を螺着しており、可動金具２１の連結部２６とナット３６の間でスプリング３５を圧縮することにより軸部材３１を尾端方向に弾発付勢し、ナット３６を螺進又は螺退することにより圧縮力を調整できるように構成している。
【００４０】
取付装置１３を天板２の溝部９に取付ける際、図５に示すように、可動金具２１は待機位置Ｐ１に保持されている。即ち、可動金具２１は、係止部２７が固定金具２０のブラケット部２４の上方に突出しないように軸部材３１を介して下向きに回動された姿勢を保持している。軸部材３１は、スプリング３５を圧縮することにより先端方向に摺動され、ロックピン３３を連結部２６の外面に弾接することにより、該軸部材３１を尾端方向に摺動不能に係止している。この状態で、可動金具２１は、軸支孔３０を軸部材３１により軸支されており、該軸部材３１はガイド路２９に沿って摺動自在である。
【００４１】
そこで、図５（Ｂ）に示すように、付加機能装置１４を固着した固着具２５を天板２の側壁１０に添わせると、支持部２３の支持縁２３ａが側壁１０に当接し、可動金具２１と共にブラケット部２４がリブ状板壁１１の下方空間に進入する。
【００４２】
図６に示すように、天板２のリブ状板壁１１の下面をブラケット部２４、２４の接支縁２４ａ、２４ａにより支持させた状態で、軸部材３１を支点として可動金具２１を図示矢印Ｒのように起立方向に回動すると、係止部２７がブラケット部２４の上方に突出する上動位置Ｐ２まで移動する。このとき、軸部材３１は、ブラケット部２４の先端に向かうガイド路２９の端部（図示左側の端部）に位置されており、起立回動により上動位置Ｐ２に移動した可動金具２１は、係止部２７を溝部９に対向させ、スリット２８ａをリブ状板壁１１に対向させる。この状態で、軸部材３１に軸支された可動金具２１は、リブ状板壁１１と平行に延びるガイド路２９に沿って図示矢印Ｓで示すように支持部２３に向けて移動可能である。
【００４３】
従って、図７に示すように、軸部材３１をガイド路２９に沿って該ガイド路２９の反対側の端部（図示右側の端部）まで摺動させ、可動金具２１を同方向（矢印Ｓ方向）に移動すると、可動金具２１が係止位置Ｐ３まで移動する。このとき、リブ状板壁１１がスリット２８ａに嵌入され、これにより可動金具２１が溝部９に固定される。
【００４４】
可動金具２１を係止位置Ｐ３に移動した状態で、ロック孔３４がガイド路２９の端部（図示左側の端部）に合致するので、ロックピン３３の先端をロック孔３４に臨ませると、図８に示すように、軸部材３１がスプリング３５により尾端方向に自動的に摺動し、ロックピン３３をロック孔３４及びガイド路２９に挿入させる。上述のように、ガイド路２９の長さＬ１と、ロック孔３４と軸支孔３０の外側縁を結ぶ距離Ｌ２と、軸部材３１とロックピン３３の外側縁を結ぶ距離Ｌ３は、Ｌ１＝Ｌ２＝Ｌ３となるように形成されているので、軸部材３１が軸支孔３０とガイド路２９の端部（図示右側の端部）に挿通され、ロックピン３３がロック孔３４とガイド路２９の端部（図示左側の端部）に挿通されることにより、可動金具２１は係止位置Ｐ３で移動不能に固定される。
【００４５】
これにより、取付装置１３は、固定金具２０の支持縁２３ａと接支縁２４ａにより天板２の側壁１０とリブ状板壁１１を支持し、可動金具２１の係止手段２８を構成するスリット２８ａがリブ状板壁１１を嵌着した状態で、天板２の側縁部に堅固に固着される。尚、図示実施形態は、スリット２８ａにより係止手段２８を構成しているが、これに代え又は加えて、可動金具２１を係止位置Ｐ３に移動したとき、該可動金具２１の係止部２７と固定金具２０のブラケット部２４によりリブ状板壁１１を挟着するように構成しても良く、あるいは、可動金具２１の係止部２７に溝部９の内面に嵌着される楔部を設けた構成としても良い。即ち、係止手段２８は、要するに、係止位置Ｐ３に移動したとき可動金具２１を溝部９の任意の部位に係止可能とするものであれば良い。
【００４６】
また、図示実施形態では、軸部材３１にロックピン３３を設けることによりロック手段３２を構成しているが、ロック手段３２は、軸部材３１と別の部材により構成する等、種々の構成とすることが可能であり、要するに、可動金具２１を係止位置Ｐ３において移動不能に固定するものであれば良い。
【００４７】
取付装置１３を天板２の側縁部から取外す場合は、上記の取付手順と逆の手順を行えば良く、ロック手段３２を解除した後、可動金具２１を係止位置Ｐ３から上動位置Ｐ２を経て待機位置Ｐ１まで移動すれば、取付装置１３を天板２の側縁部から離反することが可能となる。
【００４８】
ところで、図示の実施形態は、可動金具２１を待機位置Ｐ１から上動位置Ｐ２に向けて軸部材３１を支点として起立回動させ、該軸部材３１をガイド路２９に沿って摺動させることにより可動金具２１を上動位置Ｐ２から係止位置Ｐ３に移動させるように構成しているので、待機位置Ｐ１から上動位置Ｐ２を経て係止位置Ｐ３に至る可動金具２１の移動が回動と摺動を同時に行う複合的な一連の動作とされ、これにより取付装置の取付け及び取外し作業を容易かつ迅速に行い得るという利点があるが、本発明がこのような図例の構成に限定されないことは勿論である。本発明は、固定金具２０に対して可動金具２１を連結手段２２により連結し、可動金具２１を待機位置Ｐ１から上動位置Ｐ２と係止位置Ｐ３に向けて移動させ、係止位置Ｐ３に移動したとき、該可動金具２１を係止手段２８により天板２の溝部９に係止すると共に、ロック手段３２により移動不能に固定する点に原理的特徴がある。即ち、図９（Ａ）に示すように、固定金具２０に可動金具２１を連結した状態で、固定金具２０を天板２の側縁部に添設したとき、可動金具２１は、天板２のリブ状板壁１１の先端から延びる水平線Ｈよりも下方かつ鉛直線Ｖよりも内側の空間内の待機位置Ｐ１に位置し、該待機位置Ｐ１から、図９（Ｂ）に示すように、溝部９に対向する上方空間内の上動位置Ｐ２に移動し、該上動位置Ｐ２から、図９（Ｃ）に示すように、溝部９に向けて係止位置Ｐ３まで移動することにより、該係止位置Ｐ３において、係止手段２８により可動金具２１を溝部９に係止させると共に、ロック手段３２により可動金具２１を移動不能に固定する構成としたものであれば良い。
【符号の説明】
【００４９】
１  作業台
２  天板
８  天板壁
９  溝部
１０  側壁
１１  リブ状板壁
１３  取付装置
１４  付加機能装置
１４ａ  アウトリガー装置
１４ｂ  手摺装置
２０  固定金具
２１  可動金具
２２  連結手段
２３  支持部
２３ａ  支持縁
２４  ブラケット部
２４ｂ  接支縁
２６  連結部
２７  係止部
２８  係止手段
２８ａ  スリット
２９  ガイド路
３０  軸支孔
３１  軸部材
３２  ロック手段
３３  ロックピン
３４  ロック孔
３５  スプリング
【図１】
2011246907.tif 000003
【図２】
2011246907.tif 000004
【図３】
2011246907.tif 000005
【図４】
2011246907.tif 000006
【図５】
2011246907.tif 000007
【図６】
2011246907.tif 000008
【図７】
2011246907.tif 000009
【図８】
2011246907.tif 000010
【図９】
2011246907.tif 000011